(57)【特許請求の範囲】
【請求項１】
ライセンスを第１の装置に第２の装置から転送する方法であって、前記第１の装置は、
少なくとも１つのライセンス、及び前記少なくとも１つのライセンスについてのライセン
ス情報を格納しており、前記方法は、前記第１の装置において、
ライセンスを前記第２の装置から受け取る工程と、
前記受け取られたライセンスをインポートすることができるかを決定するよう前記ライ
センス情報を検証する工程と、
前記第１の装置が前記受け取られたライセンスをインポートすることができる場合、
前記第１の装置がインポートできるライセンスが１つ少ないように前記ライセンス情報
を更新し、前記受け取られたライセンスを、使用可能な状態にする工程とを含み、
前記方法は、多面的なライセンス転送を可能にし、前記多面的なライセンス転送は、三者以上の間でのライセンス転送である方法。
【請求項２】
請求項１記載の方法であって、前記検証する工程は、前記第１の装置によって使用可能
でない状態に少なくとも１つのライセンスを前記第１の装置がしたことを検証する工程を
含む方法。
【請求項３】
請求項１記載の方法であって、前記ライセンス情報がライセンス・ファイルに格納され
る方法。
【請求項４】
請求項１記載の方法であって、前記ライセンス情報は、前記少なくとも１つのライセン
スに格納された情報を含む方法。
【請求項５】
請求項１記載の方法であって、前記更新は、先行して第３の装置に転送されたライセン
スを消去する工程を含む方法。
【請求項６】
請求項１記載の方法であって、前記ライセンスに関連付けられたコンテンツ・ファイル
を受け取る工程を更に含む方法。
【請求項７】
請求項１記載の方法であって、前記第１の装置及び前記第２の装置はコンテンツ消費装
置である方法。
【請求項８】
ライセンスを第２の装置から受け取る第１の装置であって、
前記ライセンスを受け取るよう適合されたインタフェースと、
少なくとも１つのライセンス、前記少なくとも１つのライセンスについてのライセンス
情報、及び前記受け取られたライセンスを格納するよう適合されたメモリと、
前記受け取られたライセンスをインポートすることができるかを決定するよう前記ライ
センス情報を検証し、
前記受け取られたライセンスをインポートすることができる場合、
前記第１の装置がインポートできるライセンスが１つ少ないように前記ライセンス情報
を更新し、
前記受け取られたライセンスを使用可能にするよう適合されたプロセッサとを備え、
前記第１の装置に使用可能でない状態にライセンスを前記第１の装置がした場合に、前
記第１の装置は、前記受け取られたライセンスをインポートすることができ、前記第１の
装置は、前記使用可能でないライセンスを第３の装置に送出するよう適合される第１の装
置。
【請求項９】
請求項８記載の第１の装置であって、前記装置はコンテンツ消費装置である第１の装置。
【発明の詳細な説明】
【技術分野】
【０００１】
本発明は、一般にディジタル・コンテンツに関し、特に、ディジタル権利管理（ＤＲＭ）システムにおけるディジタル・コンテンツに関する。
【背景技術】
【０００２】
この部分は、本願明細書及び特許請求の範囲記載の本発明の種々の局面に関係し得る当該技術分野の種々の局面を本願明細書及び特許請求の範囲の読者に紹介することを意図している。本願明細書及び特許請求の範囲の記載は、本発明の種々の局面をより詳細に理解することを容易にするための背景情報を読者に与えるうえで有用であると思われる。よって、前述の記載はこれに照らして読まれるものとし、従来技術と認めたものとして読まれるものでない。
【０００３】
今日では、楽曲などのディジタル・コンテンツをユーザがプレイヤにダウンロードすることを可能にするいくつかのＤＲＭシステムが存在している。各コンテンツは、コンテンツにアクセスすることが必要なライセンスと関連付けられる。前述のライセンスはプレイヤと関係付けられ、その影響は、ディジタル・コンテンツをそのプレイヤから別のプレイヤに移動させることが可能でないという点である。例えば、特許文献１には、ユーザが使用することができるコンテンツのライセンス情報を格納するキーカードをユーザが有するようなシステムが開示されている。ユーザは、キーカード上のライセンスを修正（すなわち、交換）するよう中央サーバに連絡することができるが、一キーカードから別のキーカードにライセンスを直接転送することは可能でない。特許文献２には、一装置から別の装置にコンテンツを転送することを可能にするシステムが開示されているが、このシステムは、前述のことを行うために中央サーバの相互作用を必要とするという欠点を有する（更に、特許文献３乃至６を参照されたい）。
【０００４】
中央サーバを介して転送する必要なしでコンテンツ・ライセンスを交換することが可能であることがユーザには有用になる。例えば、ユーザＡは、ユーザＢが好きな楽曲に飽きているか、逆の場合、両者が単に楽曲を直接交換することができることが魅力的となる。中央サーバに連絡することが常に可能である訳でないことがあり得るからである。
【０００５】
更に、ライセンスを変更する場合、ユーザは、ライセンスの盗用（すなわち、何の見返りもなくライセンスを与えること）を恐れることがあり得る。
【０００６】
よって、従来技術の問題を解決する解決策に対する必要性が存在している。
【０００７】
この問題に対する一解決策は、第３者の必要なしで２つの装置間のディジタル権利管理（ＤＲＭ）保護コンテンツを交換するための解決策を提示する欧州特許出願第ＥＰ０７３０１１８５．０号に示されている。各ユーザは、使用可能でないとしてライセンスにマーキングし、取引ライセンスとして装置にマーキングする。次いで、ユーザは、受け取られたライセンスをインポートするよう装置に指示する。装置は、ライセンスが、使用可能でない状態にされたことを確認し、その場合ののみ、使用可能でないライセンスを消去し、装置が新たなライセンスを使用することを可能にする。ライセンスに関連付けられたコンテンツは、ライセンス交換前又はライセンス交換後に取引することができ、第３者からダウンロードすることもできる。よって、中央サーバに接触する必要なく、ＤＲＭ保護コンテンツを交換することが可能である。自分の装置上に格納されたＤＲＭ保護コンテンツを二のユーザが交換したい場合、この解決策はすばらしいが、しかし、他方のユーザが提供するコンテンツの何れにもユーザの一方に関心がない場合、転送を可能にしない。
【特許文献１】米国特許出願公開第２００１／０３２３１２号明細書
【特許文献２】米国特許出願公開第２００６／２１２４０５号明細書
【特許文献３】国際公開第２００４／０９３０６２号パンフレット
【特許文献４】米国特許出願公開第２００７／１２４２４８号明細書
【特許文献５】米国特許出願公開第２００４／１３３４４８号明細書
【特許文献６】国際公開第２００６／０５４９８８号パンフレット
【発明の開示】
【発明が解決しようとする課題】
【０００８】
現在、この問題に対する解決策は存在せず、本発明の目的は、ＤＲＭ保護ディジタル・コンテンツをユーザが交換することを可能にする改善されたやり方を提供することである。
【課題を解決するための手段】
【０００９】
第１の局面では、本発明は、ランセンスを第１の装置に第２の装置から転送する方法に
関する。第１の装置は、少なくとも１つのライセンス、及び少なくとも１つのライセンス
についてのライセンス情報を格納する。第１の装置は、第２の装置からライセンスを受け
取り、受け取られたライセンスをインポートすることができるかを決定するようライセン
ス情報を検証する。第１の装置は、受け取られたライセンスをインポートすることができ
る場合、１つ少ないライセンスをインポートし、受け取られたライセンスを使用可能にす
ることができるようにライセンス情報を更新する。方法は、多面的な（三者以上の間での）ライセンス転送を可
能にする。
【００１０】
第１の好ましい実施例では、検証工程は、第１の装置によって使用可能でない状態に少なくとも１つのライセンスを第１の装置がしたことを検証する工程を含む。
【００１１】
第２の好ましい実施例では、ランセンス情報はライセンス・ファイルに格納される。
【００１２】
第３の好ましい実施例では、ライセンス情報は、少なくとも１つのライセンスに格納された情報を含む。
【００１３】
第４の好ましい実施例では、更新工程は、先行して第３の装置に転送されたライセンスを消去する工程を含む。
【００１４】
第５の好ましい実施例は、第１の装置は、ライセンスに関連付けられたコンテンツ・ファイルを受け取る。
【００１５】
第６の好ましい実施例では、第１の装置及び第２の装置はコンテンツ消費装置である。
【００１６】
第２の局面では、本発明は、第２の装置からライセンスを受け取る第１の装置に関する。第１の装置は、ライセンスを受け取るよう適合されたインタフェースと、少なくとも１つのライセンス、少なくとも１つのライセンスについてのライセンス情報、及び受け取られたライセンスを格納するよう適合されたメモリと、受け取られたライセンスをインポートすることができるかを決定するようライセンス情報を検証し、受け取られたライセンスをインポートすることができる場合、第１の装置が１つ少ないライセンスをインポートし、受け取られたライセンスを使用可能にするようにライセンス情報を更新するよう適合されたプロセッサとを含む。   第１の装置は、ライセンスを使用可能でない状態にした場合、受け取られたランセンスをインポートすることができる。第１の装置は、使用可能でないライセンスを第３の装置に送出するよう適合される。
【００１７】
第１の好ましい実施例では、第１の装置はコンテンツ消費装置である。
【発明を実施するための最良の形態】
【００１８】
次に、本発明の好ましい構成を例として、添付図面を参照して説明する。
【実施例】
【００１９】
本発明の概括的な考えは、以下で分かるように、比較的独立して行われ得るように、ライセンスを使用可能でない状態にする工程、及び、ライセンスを別の装置に転送する工程を分離することである。ある意味では、ユーザが、ライセンスを装置によって使用可能でない状態にした場合、これにより、別のライセンス（トークン。トークンとしてみたい場合）をインポートするための権利が与えられ、この権利は、別のライセンスがインポートされると除去される。しかし、使用可能でないライセンスは、エクスポートされるまで装置上に記憶された状態に留まり、その後、消去することができる。
【００２０】
図１は、本発明の好ましい実施例による、ＤＲＭ保護ディジタル・コンテンツ（以下「コンテンツ」）のライセンスを交換する方法の信号フローチャートである。  
方法は、第１の装置１０を有する第１のユーザ、ボブ、及び第２の装置２０を有する第２のユーザ、アリスという四のアクタを有する。各装置１０、２０は、
コンテンツなどのディジタル情報を格納する機能メモリ空間１１、２１と、
１つ又は複数の物理プロセッサに実施することができる処理手段１２、２２（以下「プロセッサ」）と、
ＤＲＭプロバイダ及び／又は別の装置と通信するためのインタフェース１３、２３と、
ユーザ・インタフェース１４、２４とを含む。
【００２１】
各メモリ空間１１、２１は、種々のライセンスに対応するコンテンツにアクセスするための装置の機能（あるいは権限）に関する情報を有するライセンス・ファイルＦ１、Ｆ２を格納する。本発明の好ましい実施例では、ライセンスの一般的なタイプは３つ存在している。すなわち、装置によって通常、アクセス（例えば、再生）することが可能なコンテンツの通常ライセンス、エクスポートされたライセンス、及び受け取られたライセンスである。エクスポートされたライセンス及び受け取られたライセンスに関係付けられたコンテンツは通常、装置によって再生することが可能でなく、前述のライセンスの使用は、以下に更に詳細に説明する。
【００２２】
次に、ボブが自分の装置１０上に、飽きており、そのライセンスを使用可能でない状態にしている（括弧、すなわち、［Ｌ１］で示す）、ビートルズの楽曲Ｓ１を有しており、やはり飽きており、そのライセンスＬ３を使用可能でない状態にしたのみならず、ライセンスＬ３を第３の装置（図示せず）にエクスポートしている（使用可能でない状態を括弧で示し、エクスポートされている状態を下線で示す、すなわち、［Ｌ３］で示す）が、代わりの楽曲を何もインポートしていない、ザ・セレクタによる楽曲Ｓ３を有しているとする。よって、ボブは、２つのライセンスをインポートすることができるが、ビートルズのライセンスＬ１のみをエクスポートすることができることが好ましい。更に、アリスが、マッドネスの楽曲Ｓ２を自分の装置２０上に有し、この楽曲に飽きているが、このライセンスを自分によって使用可能でない状態にまだしていないとする。最後に、ボブ及びアリスが会って。互いの楽曲を確かめ、その結果、ボブが、アリスのマッドネスの楽曲Ｓ２を欲しいが、アリスは、ボブの楽曲を何れも欲しくないとする。やはり、好ましい実施例では、ライセンスは２度以上エクスポートすることができないので、ボブは、ザ・セレクタによる自分の楽曲Ｓ３をエクスポートすることができない。アリスはなお、自分のマッドネスのライセンスＬ２及び楽曲Ｓ２をボブにエクスポートしたい。両者の楽曲は同じシステムによって供給されているか、又は、少なくとも、その楽曲は、互換なＤＲＭシステムによって保護されているものとする。上記方法を使用して楽曲以外の他の種類のコンテンツを取引することができることを当業者は認識するであろう。
【００２３】
例示的な方法を開始すれば、アリスは、マッドネスのライセンスＬ２を使用可能でない状態にする（装置２０が工程２０４でこれを行う。以下、上記ライセンスは［Ｌ２］と表す。）よう自分の装置２０に指示する（２０２）。以下に詳細に説明するように、上記装置がこのことを行うには種々のやり方が存在している。２つの装置がこの時点で接続されている必要はない。
【００２４】
２つの装置１０、２０が接続されると、アリスは、マッドネスのライセンス［Ｌ２］をボブの装置１０に送出する（工程２０８でこれを行う）よう自分の装置２０に指示し（２０６）、ボブの装置は、ライセンス［Ｌ２］を受け取る（２１０）。何れかの適切なデータ伝送手段（例えば、赤外線リンク、インターネット、ＵＳＢトークン、ブルートゥース（商標）リンクや、直接ケーブルなど）を使用することができる。  
この時点で、ボブの装置１０は、転送が首尾良く行われたことをアリスの装置に通知する（図示せず）ことができるが、これは必須でない。ボブの装置１０が少なくとも一ライセンスをインポートすることができる場合、通知はこれを記載し得る。逆の場合には、転送が首尾良く行われなかった旨を通知が記載することをあり得る。その場合、ボブの装置１０は、受け取られたライセンスを消去し、アリスの装置２０は、マッドネスのライセンス［Ｌ２］が、全くエクスポートされていないかのようにデータを修正する。しかし、好ましい実施例では、装置は、一度にインポートすることができない場合にも、ライセンスを受け取り、格納し、次いで、ライセンスが使用可能でない状態にされると、確かに、受け取られたライセンスをインポートすることができる。
【００２５】
次いで、ボブは好ましくは、受け取られたマッドネスのライセンス・ファイル［Ｌ２］をインポートするよう自分の装置１０に指示する（２１２）。受け取られたライセンス・ファイル［Ｌ２］をインポートする前に、プロセッサ１２は、好ましくは、装置１０上に存在している少なくとも一ライセンスが使用可能でない状態にされていることを検証することにより、ライセンスをインポートすることができることを検証する（２１４）。これが肯定の場合（例では、ボブが２つのライセンス［Ｌ１］及び［Ｌ３］を使用不能にした場合）、プロセッサ１２は、（以下に示すように）インポートすることができる更なるライセンスは１つのみである旨を示すようそのライセンス情報を更新する。この例では、ライセンスを削除（２１６）することにより、これを行うことが好ましい。このライセンスは、再びエクスポートすることができず、ライセンスが代わりにインポートされているからである。  
ボブの装置１０は次いで、必要な場合、保護を解除することにより（例えば、受け取られたライセンスが暗号化されている場合、復号により）、受け取られたライセンス［Ｌ２］を通常のライセンスＬ２に変更する（２１８）。
【００２６】
前述の方法が、アリスの装置２０からボブの装置１０にライセンスを転送しているにすぎないことを当業者は認識するであろう。一実施例では、ライセンス・ファイルはコンテンツも含む。  
しかし、好ましい実施例は、コンテンツＳを、関連付けられたライセンスＬと分離する。実際に、コンテンツＳを転送しなければならない設定期間は存在していない。コンテンツは、ライセンスなしでは使用可能でないので、よって、自由に配布することができる。よって、ライセンスを転送する方法が開始する前か、又はその方法後に、コンテンツを一装置から別の装置に複製することができるが、ライセンスの転送前又は転送後に、コンテンツ所有者などの第三者からダウンロードすることもできる。好ましい実施例では、装置にもうその効用がない場合、コンテンツ・ファイルが消去されることが好ましい。このことの例を図１に示す。アリスの装置２０は、マッドネスの楽曲Ｓ２をボブの装置１０に送出し（２２０）、コンテンツ・ファイルＳ２を消去する（２２２）。ボブの装置１０は、マッドネスの楽曲を受け取り（２２４）、これを格納する。
【００２７】
前述の工程後、ボブは、自分の装置１０上でマッドネスの楽曲Ｓ２を再生することが可能であるが、ビートルズの楽曲Ｓ２を再生することはなお可能でなく（ザ・セレクタの楽曲もそのライセンスも装置１０上に残っていない）、アリスはもう、自分の装置２０上でマッドネスの楽曲Ｓ２を再生することが可能でない。更に、ボブは、自分のビートルズのライセンス［Ｌ１］は使用可能でないので、別のライセンスをインポートすることができ、このライセンスをエクスポートすることもできる。一方、アリスは次に、ライセンスをインポートすることができ、一実施例で、実際に別のライセンスをインポートすることができることを把握するために自分の装置２０上に自分のマッドネスのライセンス［Ｌ２］が留まっている。
【００２８】
エクスポートされたライセンスを、例えば、暗号化により、更に保護することも可能である。
【００２９】
エクスポートされたライセンスは好ましくは、自己保護されている。ネットワーク層は制約でない。すなわち、エクスポートされたライセンスが保護されている場合、以下で分かるように、保護解除されている必要があるので単に、転送されたファイルを複製することは十分でなく、好ましくは、その時点で受け取られたライセンスとの交換で別のライセンスを送出した旨を装置が確認した場合にのみ、転送されたファイルを複製することが好ましい。
【００３０】
本発明は、中央サーバなどの第３の装置との相互作用を必要とすることなくコンテンツ消費装置間のＤＲＭ保護コンテンツの交換を可能にする。
【００３１】
本発明の方法により、ライセンスをインポートし、エクスポートすることができるために、装置は、そのライセンスを把握する必要がある。
【００３２】
好ましい実施例では、このことは、ライセンス・ヘッダにおいて、かつ／又はライセンス・ファイルにおいて、特定のビットを設定することによって達成される。例えば、第１のビットは、ライセンスが使用可能でない状態にされている旨を示すことが可能であり、第２のビットは、ライセンスがエクスポートされている旨を示すことが可能であり、第３のビットは、ライセンスがインポートされている旨、又は別のライセンスをインポートする旨の、使用可能でないライセンスによって与えられる権利が行使されている旨を示すことが可能である。この実施例は、表１に表すように、別々の８つのビット組み合わせを可能にする。
【００３３】
【表１】
0005337457.tif 000002
使用可能でないライセンスの数を集計し、インポートされたライセンスの数を控除することにより、インポートすることができるライセンスの数を装置が把握することは簡単である。
【００３４】
図１の例では、ライセンスのビット値を表２及び表３に示す。
【００３５】
【表２】
0005337457.tif 000003
【００３６】
【表３】
0005337457.tif 000004
同じ目標を達成する更に精巧なやり方（例えば、必要な情報を装置上の別々のファイル内に保管するなど）も可能である。  
本発明は単に例として説明している。本願明細書、特許請求の範囲及び必要な図面に記載した構成はそれぞれ、独立して提供することも、何れかの適切な組み合わせで提供することもできる。ハードウェアで実現されるものとして記載した構成はソフトウェアで実現することもでき、逆も同様である。接続は適宜、無線接続又は有線接続（必ずしも直接又は専用の接続でなくてよい）として実現することができる。
【００３７】
特許請求の範囲記載の参照符号は、例証の目的に過ぎず、特許請求の範囲記載の範囲を限定する効果はないものとする。  
【図面の簡単な説明】
【００３８】
【図１】本発明の好ましい実施例による、ＤＲＭ保護ディジタル・コンテンツを交換する方法を示す信号フローチャートである。
【符号の説明】
【００３９】
１０  装置
１１  メモリ
１２  プロセッサ
１３  インタフェース
１４  インタフェース
２０  装置
２１  メモリ
２２  プロセッサ
２３  インタフェース
２４  インタフェース
【図１】
0005337457.tif 000005